(57)【要約】【課題】  断熱性に優れ、低コストで現場における寸法等の修正が容易であり、簡便に取り付けられる屋根パネル、及び屋根材を提供する。【解決手段】  矩形状に形成された野地板１５０と、野地板の下面１５１に取り付けられた断熱材２６０、２７０とを備えたユニット５００を複数具備し、垂木１２０ｅ〜１２０ｇによる枠組みに取り付けられる屋根パネルであって、断熱材は、上部に固定面２６２、２６３、２７２、２７３、及び溝が形成されており、固定面によって野地板の下面に取り付けられるとともに、溝と下面との間に通気洞２６１´、２７１´が形成され、また、断熱材の左右端部には、下部が切り欠かれて形成された側縁２６５、２７４が備えられ、ユニットが屋根パネルとして配置されたとき、断熱材には側縁同士の密着により上面が途切れなく形成されるとともに、側縁の下方には溝が生じ、ユニット内に形成されている断熱材間の溝、または２つ以上のユニットを組み合わせることによって生じる断熱材間の溝に、垂木を嵌合する。【選択図】      図３（ｂ）
2005105533.tif 000002
【特許請求の範囲】
【請求項１】
矩形状に形成された野地板と、該野地板の下面に取り付けられた断熱材とを備えたユニットを複数具備し、垂木による枠組みに取り付けられる屋根パネルであって、
前記断熱材は、上部に固定面、及び溝が形成されており、前記固定面によって前記野地板の下面に取り付けられるとともに、前記溝と前記下面との間に通気洞が形成され、
また、前記断熱材の左右端部には、下部が切り欠かれて形成された側縁が備えられ、
前記ユニットが前記屋根パネルとして配置されたとき、前記断熱材には前記側縁同士の密着により上面が途切れなく形成されるとともに、前記側縁の下方には溝が生じ、前記ユニット内に形成されている前記断熱材間の前記溝、または２つ以上の前記ユニットを組み合わせることによって生じる前記断熱材間の前記溝に、前記垂木が嵌合されている、
ことを特徴とする屋根材パネル。
【請求項２】
矩形状に形成された野地板、及び該野地板の下面に取り付けられた断熱材を備えた複数のユニット、及び垂木を具備するとともに、前記複数のユニットは、前記垂木による枠組みに取り付けられて屋根パネルを形成する屋根材であって、
前記断熱材は、上部に固定面、及び溝が形成されており、前記固定面によって前記野地板の下面に取り付けられるとともに、前記溝と前記下面との間に通気洞が形成され、
また、前記断熱材の左右端部には、下部が切り欠かれて形成された側縁が備えられ、
前記ユニットが前記屋根パネルとして配置されたとき、前記断熱材には前記側縁同士の密着により上面が途切れなく形成されるとともに、前記側縁の下方には溝が生じ、前記ユニット内に形成されている前記断熱材間の前記溝、または２つ以上の前記ユニットを組み合わせることによって生じる前記断熱材間の前記溝に、前記垂木が嵌合されている、
ことを特徴とする屋根材。
【発明の詳細な説明】
【技術分野】
【０００１】
本発明は、通気層、及び断熱材が備えられた、屋根パネル、及び屋根材の構造に関する。
【背景技術】
【０００２】
木造住宅等の建築において、屋根構造に通気性、及び断熱性を付与することが住環境面、及び屋根耐久性面等において望まれている。そのため、屋根パネルには、断熱材が充填／配設され、さらに断熱による結露等を防止するために、パネル上面と野地板との間に通気層が確保されるように垂木が挟み入れられた、屋根パネル構造が多用されている。通常、この種の屋根パネル構造は、垂木組み、断熱材の充填、通気洞の確保、野地板の載置、を施工現場において順々に行うことにより組み立てられてゆく。近年では、これらの現場での垂木や野地板の取り付け作業を簡略化し、効率をよくするために、屋根パネルは予め工場等で組み立てられ、建築現場へと搬送されている。
【０００３】
特許文献１には、屋根垂木を一体化した断熱屋根パネル（本件発明の屋根材に相当する。）が開示されている。図４には、屋根パネルの斜視図を示す。図示のとおり、矩形上に形成した屋根パネル４００は、少なくとも２本の平行した屋根垂木４０１間に断熱材４１０を配設したものである。この断熱材４１０上面は、上面シート４２０、中間シート、及び下面シート４３０の表面側での幅射熱反射作用、及びシート間の空気層空間Ｓによる空気流通作用を奏する遮熱材４４０で被覆保護されており、さらに、遮熱材４４０上面を覆う形態に、屋根下張材４５０を屋根垂木４０１に直接固定している。
【特許文献１】特開２００３−１６０９９４号公報
【発明の開示】
【発明が解決しようとする課題】
【０００４】
しかし、屋根の軸組みとして複数配設される垂木の上部には断熱材等の断熱手段が取り付けられておらず、木材で形成されている垂木から熱が放出されるため断熱効率が低下する、という問題があった。これに対し、公知の技術として垂木、及び垂木間の全面を断熱材で被覆する方法もあるが、施工性に優れず、実用性に欠けるという問題があった。
【０００５】
上記の方法では、いずれも垂木は屋根パネルとして一体化されているが、垂木は母屋梁とともに屋根の軸組をなす主要部材であり、厳密な設計が要求される。よって、建造物ごとに異なる屋根の寸法において、予め垂木の組み入れられた一体ユニット構造の屋根パネルに再加工が必要である場合、現場での屋根パネルの加工補修は困難であり、設計者等による割付け、設計が望まれている。
【０００６】
一体ユニット構造の屋根パネルにおいては、垂木以外の部材である断熱材、及び野地板等のみであれば加工は容易であるが、垂木の寸法が違う場合には、予め所定のサイズに加工された屋根パネルごと使用できなくなり、コストが嵩むという問題があった。さらに、垂木を取り換える際には屋根パネルごと撤収しなければならず、手間がかるという問題もあった。
【０００７】
そこで、本発明は、断熱性に優れ、低コストで現場における寸法等の修正が容易であり、簡便に取り付けられる屋根パネル、及び屋根材を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、矩形状に形成された野地板（１５０）と、野地板の下面（１５１）に取り付けられた断熱材（２６０、２７０、２８０、２９０）とを備えたユニット（５００）を複数具備し、垂木（１２０ａ〜１２０ｘ）による枠組み（１３０）に取り付けられる屋根パネル（２５０）であって、断熱材は、上部に固定面（２６２、２６３、２７２、２７３）、及び溝（２６１、２７１、２８１、２９１）が形成されており、固定面によって野地板の下面に取り付けられるとともに、溝と下面との間に通気洞（２６１´、２７１´、２８１´、２９１）が形成され、また、断熱材の左右端部には、下部が切り欠かれて形成された側縁（２６４、２６５、２７４、２７５）が備えられ、ユニットが屋根パネルとして配置されたとき、断熱材には側縁同士の密着により上面が途切れなく形成されるとともに、側縁の下方には溝が生じ、ユニット内に形成されている断熱材間の溝、または２つ以上のユニットを組み合わせることによって生じる断熱材間の溝に、垂木が嵌合されている、ことを特徴とする屋根材パネルを提供して前記課題を解決する。
【００１０】
請求項１の発明にかかる屋根パネルは、野地板と、断熱材とが一体化された屋根パネルであるので、垂木の上にその屋根パネルを装着するだけで、通気洞を備えた断熱構造の屋根体とすることができる。また、屋根構造体である垂木は、屋根パネルと別体であるため、加工修正が自由にでき、屋根パネルも、屋根構造体に合わせて自由に加工することができる。さらに、側縁を備えた断熱材の間に垂木が組み込まれるため、上面、及び左右側面が断熱材で被覆された断熱性に優れた屋根体とすることができる。
【００１１】
請求項２の発明は、矩形状に形成された野地板（１５０）、及び野地板の下面（１５１）に取り付けられた断熱材（２６０、２７０、２８０、２９０）を備えた複数のユニット（５００）、及び垂木（１２０ａ〜１２０ｘ）を具備するとともに、複数のユニットは、垂木による枠組み（１３０）に取り付けられて屋根パネル（２５０）を形成する屋根材（２００）であって、断熱材は、上部に固定面（２６２、２６３、２７２、２７３）、及び溝（２６１、２７１、２８１、２９１）が形成されており、固定面によって野地板の下面に取り付けられるとともに、溝と下面との間に通気洞（２６１´、２７１´、２８１´、２９１）が形成され、また、断熱材の左右端部には、下部が切り欠かれて形成された側縁（２６４、２６５、２７４、２７５）が備えられ、ユニットが屋根パネルとして配置されたとき、断熱材には側縁同士の密着により上面が途切れなく形成されるとともに、側縁の下方には溝が生じ、ユニット内に形成されている断熱材間の溝、または２つ以上のユニットを組み合わせることによって生じる断熱材間の溝に、垂木が嵌合されている、ことを特徴とする屋根材を提供する。
【００１２】
請求項２の発明にかかる屋根材は、野地板と、断熱材とが一体化された屋根パネルが、枠組みに取り付けられている屋根材であるので、垂木の上に屋根パネルを装着するだけで、通気洞を備えた断熱構造の屋根体とすることができる。また、屋根構造体である垂木は、屋根パネルと別体であるため、加工修正が自由にでき、屋根パネルも、屋根構造体に合わせて自由に加工することができる。さらに、側縁を備えた断熱材の間に垂木が組み込まれるため、上面、及び左右側面が断熱材で被覆された断熱性に優れた屋根体とすることができる。
【発明の効果】
【００１３】
請求項１の発明によれば、野地板と、断熱材とが一体化された屋根パネルが提供されるので、垂木の上に屋根パネルを装着するだけで、通気洞を備えた断熱構造の屋根体とすることができる。また、屋根構造体である垂木は、屋根パネルと別体であるため、加工修正が自由にでき、屋根パネルも、屋根構造体に合わせて自由に加工することができる。さらに、側縁を備えた断熱材の間に垂木が組み込まれるため、上面、及び左右側面が断熱材で被覆された断熱性に優れた屋根体とすることができる。
【００１４】
また、請求項２の発明によれば、野地板と、断熱材とが一体化された屋根パネルが、枠組みに取り付けられている屋根材が提供されるので、垂木の上に屋根パネルを装着するだけで、通気洞を備えた断熱構造の屋根体とすることができる。また、屋根構造体である垂木は、屋根パネルと別体であるため、加工修正が自由にでき、屋根パネルも、屋根構造体に合わせて自由に加工することができる。さらに、側縁を備えた断熱材の間に垂木が組み込まれるため、上面、及び左右側面が断熱材で被覆された断熱性に優れた屋根体とすることができる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、本発明にかかる屋根材２００を備えた建築構造物１００を、上方向からみた斜視図である。また、構成部材の説明のために一部が分解図となっている。図示のように、柱１４１、１４２、１４３、及び１４４（柱１４３は図示せず。）に支えられている建築構造物１００の上部には、屋根材２００が形成されている。屋根材２００は、母屋梁１１０ａ〜１１０ｆの上にとりつけられた垂木１２０ａ〜１２０ｘからなる、軸組１３０と、複数の野地板１５０によって形成されている屋根パネル２５０とによって構成されている。この母屋梁１１０、及び垂木１２０は木材からなり、所定の傾斜角度を保ちつつ、互いに直交する方向に所定間隔となるよう配設された格子形状をなしている。また、野地板１５０は、ＯＳＢ（オリエンテッド・ストランド・ボード）、もしくは構造用パネル、または合板等からなる矩形の板形状であり、所定の枚数を組み合わせて、軸組１３０の上部ほぼ全体を覆うように敷設されている。さらに、屋根材２００の最上部には、支柱である棟木１４０が略最上部中央の位置に配設されている。図示は省略されているが、防水シート等を介して、瓦等が屋根材２００状面全体を覆うように葺かれている。
【００１８】
屋根材２００は断熱性の屋根パネル２５０によって屋根面が形成されており、図１においては現われていないが、上記屋根パネル２５０を構成する野地板１５０の下部には、通気構造を含めた断熱構造物が取り付けられている。本発明においては、この屋根パネル２５０に最大の特徴を備えている。以下にはその構造を詳細に説明する。
【００１９】
図２は、図１の屋根材２００の部分拡大図である。母屋梁１１０ａ〜１１０ｃの上部に格子状となるように架け渡されている垂木１２０ｅ〜１２０ｈのさらに上部には、野地板１５０ａ、及び１５０ｂが載設されている。また、野地板１５０ａ、１５０ｂの下部には、野地板１５０ａ、及び１５０ｂと、垂木１２０ｅ〜１２０ｈとに挟持されるように、断熱材２６０〜２９０が配されている。また、断熱材２６０〜２９０には、上面に溝２６１〜２９１が形成されており、野地板１５０ａ、１５０ｂに上部を覆われることによって通気洞２６１´〜２９１´が形成されている。
【００２０】
この、野地板１５０ａ、１５０ｂ、及び断熱材２６０〜２９０で構成された屋根パネル２５０は、長さ方向が上記屋根構造体の最頂部から、最も軒下側に位置する母屋梁１１０ｃを被覆するよう形成されており、垂木１２０ｅ〜１２０ｈの軒下側端部は屋根パネル２５０より軒先側に突出されている。
【００２１】
上記屋根パネル２５０は、例えば参照符号１５０ａにて示されている野地板一枚に対して、参照符号２６０、及び２７０で示される二枚の断熱材とが組み合わされて構成される単ユニット５００を複数組み合わせたものであり、上記建築構造物１００の上部に母屋梁１１０ａ〜１１０ｆ、及び垂木１２０ａ〜１２０ｘが建て付けられたのち、垂木１２０ａ〜１２０ｘに挟持されるよう所定の方向に取り付けられている。
【００２２】
図３（ａ）には、図２に示した屋根パネル２５０の単ユニット５００（以下において「ユニット５００」とする。）を、矢印ｙ１方向からみた断面図を示す。また、図３（ｂ）には、ユニット５００、及び垂木１２０ｅ〜１２０ｇを、矢印ｙ１方向からみた断面図を示す。
【００２３】
図３（ａ）は、ユニット５００の断面図である。野地板１５０ａの下部に、圧着されている断熱材２６０、及び２７０は、左右の上端部に側縁２６４、２６５、及び側縁２７４、２７５を備え、側縁２６４、２６５、及び側縁２７４、２７５の上面には、それぞれ固定面２６２、２６３、及び固定面２７２、２７３を備えている。固定面２６２、及び２６３と、野地板１５０ａの下面１５１とは両面テープ等で固定されている。この断熱材には、例えば発泡ウレタン等が用いられている。なお、野地板１５０ａの下部と、断熱材２６０、及び２７０との固定には、接着剤、ビス、および釘等を使用してもよい。
【００２４】
野地板１５０ａの下面１５１には、上記の断熱材２６０、及び２７０が固定されている部位と、その他に装着面とが形成されている。図示の野地板１５０ａには、装着面は４箇所設けられている。すなわち、断熱材２６０の側縁２６４の左端部下部、及び側縁２６５の右端部下部にそれぞれ備えられた装着面イ、及びロと、側縁２７４の左端部下部、及び側縁２７５の右端部下部にそれぞれ備えられた装着面ハ、及び二、である。この側縁２６４、２６５、２７４、及び２７５のうち、側縁２６５、及び２７４とは密着されており、隙間のない上面が形成されている。この上面によって、上方向からの断熱性が高められている。また、側縁２６４、及び２７５は他のユニットが隣接された場合において、いずれかの側縁と、密着された形状となる。
【００２５】
図３（ｂ）は、垂木１２０ｅ〜１２０ｇに、ユニット５００が組み込まれた様子を示す断面図である。ユニット５００は、予め上記建築構造物１００に取り付けられている垂木１２０ｅ〜１２０ｇの上面側に装着される。下記には、装着面ロ、装着面ハ、及び垂木１２０ｆを例として説明するが、装着面イ、及びニについても隣接するユニットを並べた場合において同様の構成となるため説明を省略する。
【００２６】
装着面ロの幅と、装着面ハの幅とを足した幅は、垂木１２０ｆとの幅と略同長であり、垂木１２０ｆは断熱材２６０、及び２７０との間で、かつ側縁２６５、及び側縁２７４の下部に、挟持されるよう取り付けられる。さらに、矢印ｙ２で示した断熱材２６０の高さは、矢印ｙ３で示した垂木１２０ｆの高さとほぼ同じ長さである。よって、屋根パネル２５０は、上面に対する断熱性を保持しつつ、簡易な作業により垂木に組み付けることができ、かつ、組み付けられた垂木と屋根パネルとで、コンパクトな上記屋根材２００を構成することができる。また、通気洞２６１´、２７１´が、断熱材２６０、及び２７０の表面２６０ａ、及び２７０ａに、固定面２６２、２６３、２７２、２７３を除いて一面に形成されている。そのため、通気性においても優れている。
【００２７】
このように、断熱材２６０と、断熱材２７０との間の溝からなるスペースに、垂木１２０ｆが隙間なく組み込まれ、垂木の上面、及び左右側面が断熱材と密着されるため、ユニット５００がずれることなく安定して保持されている。また、垂木上部を断熱材で被覆できる形状であることから、垂木の熱橋をなくすことができる。従って、断熱性や気密性、及び通気性が常に良好に保たれる。
【００２８】
上記の実施形態によれば、垂木１２０ａ〜１２０ｘと屋根パネル２５０とが分離されているため、建築構造物１００の建設現場には垂木１２０ａ〜１２０ｘと屋根パネル２５０とを別体として搬入・搬出することができる。また、屋根パネル２５０は加工が容易であるため、加工自在な形状で搬入し、厳密な設計が必要とされる垂木の加工修正に合わせて定型に切断することが可能となっており、材料費、加工作業の無駄を排除することができる。また、この構成によって、垂木が屋根パネル２５０から独立されるため、垂木の取り扱いも容易であり、加工修正を簡便に行うことができる。
【００２９】
また、予め構成された屋根パネル２５０としてではなく、上記断熱材、通気材、及び野地板を個々に装着することも可能であるとともに、屋根パネル２５０を含んで構成されている屋根材２００は、垂木１２０ａ〜１２０ｘを、例えば建築構造物１００の壁を構成する、別の軸組としてもよく、屋根材２００に備えられた断熱、及び通気効果を、屋根以外の上記壁等の箇所にも利用することも可能である。
【００３０】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う屋根パネル、及び屋根材もまた本発明の技術的範囲に包含されるものとして理解されなければならない。
【図面の簡単な説明】
【００３１】
【図１】屋根構造体を備えた建築構造物を、上方向からみた斜視図である。
【図２】図１における、屋根構造体の部分拡大図である。
【図３（ａ）】屋根パネルを構成するユニットを示す断面図である。
【図３（ｂ）】屋根パネルのユニットが、垂木に組み込まれた様子を示す断面図である。
【図４】従来例を示す。
【符号の説明】
【００３２】
１２０ａ〜１２０ｘ  垂木
１１０ａ〜１１０ｆ  母屋梁
１３０  軸組(枠組み）
１５０  野地板
１５１  下面
２００  屋根材
２５０  屋根パネル
２６１、２７１、２８１、２９１  溝
２６１´、２７１´、２８１´、２９１´  通気洞
２６０、２７０、２８０、２９０  断熱材
２６２、２６３、２７２、２７３  固定面
２６４、２６５、２７４、２７５  側縁
５００  ユニット
【図１】
2005105533.tif 000003
【図２】
2005105533.tif 000004
【図３（ａ）】
2005105533.tif 000005
【図３（ｂ）】
2005105533.tif 000006
【図４】
2005105533.tif 000007